(57)【要約】【課題】内外気混入モードを備えた車両用空調装置において、車速が変化しても窓ガラスの曇りが発生しないようにする。【解決手段】暖房時に車室内の空気と車室外の空気を導入する内外気混入モードにするとともに、窓ガラスの温度に基づく目標露点温度と、窓ガラス近傍の温度及び湿度に基づく露点温度とから窓ガラスの曇りを抑制する目標外気導入量となるようにインテーク部を制御する。制御装置は、車速検出手段で検出された車速が高くなるほど、目標露点温度を下げるように構成されている。【選択図】図４
2018131204.tif 000002
【特許請求の範囲】
【請求項１】
車室内の空気の循環量と、車室外の空気の導入量とを変更するインテーク部と、
上記インテーク部から導入された空気の温度調節を行う温度調節部と、
上記温度調節部で温度調節された調和空気を車室の各部に供給する吹出方向切替部と、
暖房時に車室内の空気と車室外の空気を上記温度調節部に導入する内外気混入モードにするとともに、窓ガラスの温度に基づく目標露点温度と、窓ガラス近傍の温度及び湿度に基づく露点温度とから窓ガラスの曇りを抑制する目標外気導入量となるように上記インテーク部を制御する制御装置とを備えた車両用空調装置において、
車両の速度を検出する車速検出手段を備え、
上記制御装置は、上記車速検出手段で検出された車速が高くなるほど、上記目標露点温度を下げるように構成されていることを特徴とする車両用空調装置。
【発明の詳細な説明】
【技術分野】
【０００１】
本発明は、例えば自動車等に搭載される車両用空調装置に関するものである。
【背景技術】
【０００２】
従来より、この種の車両用空調装置は、車室内の空気（内気）と車室外の空気（外気）を選択して空調ケーシングに導入することができるように構成されている。また、導入された空気は熱交換器等によって温度調節された後、空調ケーシングに形成されたデフロスタ吹出口、ベント吹出口、ヒート吹出口の内、選択された吹出口から車室に吹き出すようになっている。
【０００３】
特許文献１、２の車両用空調装置は、内気を導入して温度調節した後、車室内に供給する内気循環モードと、外気を導入して温度調節した後、車室内に供給する外気導入モードと、内気及び外気の両方を導入して温度調節した後、車室内に供給する内外気混入モードとの３つのインテークモードに切り替えることができるように構成されている。そして、車室内外の状態（車室内温度、外気温度、日射量）と乗員が設定した設定温度とに基づいてインテークモード、吹出モード、風量、吹出温度等を自動で設定するオートエアコン制御が行われる。
【０００４】
特許文献１では、内外気混入モードにおいて外気と内気の導入割合を変更することができるとともに、湿度センサで測定した車室内湿度が２０％以下ならば内気循環モードとし、５０％ならば外気導入モードとしている。
【０００５】
特許文献２では、窓ガラスが曇り易いか否かを判定する判定手段を設け、窓ガラスが曇り難いと判定手段が判定すると、少なくとも内気を循環させ、窓ガラスが曇り易いと判定手段が判定すると、外気導入モードとして窓ガラスに曇りが生じるのを防止するようにしている。さらに、内外気混入モードにおける内気循環量を段階的に増加させる制御モード、内気及び外気の比率を持続する制御モード、及び内外気混入モードにおける外気の導入量を段階的に増加させる制御モードを備えており、窓ガラスの曇り易さに基づいて制御モードを選択するようにしている。窓ガラスが曇らない範囲で内気循環量を高めることで換気量が減少して暖房に要するエネルギ消費量を少なくすることができる利点がある。
【先行技術文献】
【特許文献】
【０００６】
【特許文献１】特公平１−２７８９１号公報
【特許文献２】特許第５１５２３５５号公報
【発明の概要】
【発明が解決しようとする課題】
【０００７】
ところで、窓ガラスの曇り易さは窓ガラスの温度によって大きく異なる。一般に車両は走行と停止とを繰り返しており、走行時には走行風が窓ガラスに当たることによって窓ガラスの温度が低下し、停止すると車室内の熱によって窓ガラスが暖められて窓ガラスの温度が上昇する。特に、停止状態から走行状態になると車速にもよるが窓ガラスの温度が急に低下して曇り易い状態となる。このとき、特許文献１、２の車両用空調装置では温度センサや湿度センサの出力値に基づいて窓ガラスの曇り易さを判定した後、外気導入量を設定して外気導入量を変化させるようにしているが、窓ガラス近傍の露点温度は、外気導入量が変化してから遅れて変化してしまうため、窓ガラスも急な温度変化に追従できず、窓ガラスに曇りが発生してしまう恐れがある。
【０００８】
本発明は、かかる点に鑑みてなされたものであり、その目的とするところは、内外気混入モードを備えた車両用空調装置において、車速が変化しても窓ガラスに曇りが発生しないようにすることにある。
【課題を解決するための手段】
【０００９】
上記目的を達成するために、本発明では、暖房時に車室内の空気と車室外の空気を導入する内外気混入モードにするとともに、窓ガラスの温度に基づく目標露点温度と、窓ガラス近傍の温度及び湿度に基づく露点温度とから窓ガラスの曇りを抑制する目標外気導入量となるように制御する構成を前提とし、車両の速度を検出する車速検出手段で検出された車速に応じて目標露点温度を変化させるようにした。
【００１０】
第１の発明は、
車室内の空気の循環量と、車室外の空気の導入量とを変更するインテーク部と、
上記インテーク部から導入された空気の温度調節を行う温度調節部と、
上記温度調節部で温度調節された調和空気を車室の各部に供給する吹出方向切替部と、
暖房時に車室内の空気と車室外の空気を上記温度調節部に導入する内外気混入モードにするとともに、窓ガラスの温度に基づく目標露点温度と、窓ガラス近傍の温度及び湿度に基づく露点温度とから窓ガラスの曇りを抑制する目標外気導入量となるように上記インテーク部を制御する制御装置とを備えた車両用空調装置において、
車両の速度を検出する車速検出手段を備え、
上記制御装置は、上記車速検出手段で検出された車速が高くなるほど、上記目標露点温度を下げるように構成されていることを特徴とする。
【００１１】
この構成によれば、暖房時に車室内の空気を温度調節部に導入して温度調節するようにしたので、換気量が減少して暖房に要するエネルギ消費量が少なくて済む。そして、窓ガラスの温度に基づく目標露点温度と、窓ガラス近傍の温度及び湿度に基づく露点温度とを得て、窓ガラスの曇りを抑制する目標外気導入量となるようにインテーク部が制御されるので、暖房時の窓ガラスの曇りが抑制される。
【００１２】
本発明では、車両が停止状態から走行状態となった場合には、車速検出手段によってそのことが検出される。この車速に応じて目標露点温度が変化する。例えば車速が高まると目標露点温度が低くなるようにすることで、車速の増加によって窓ガラスの温度が低下して曇り易くなった場合に、目標外気導入量を増加させて曇りを抑制することが可能になる。
【発明の効果】
【００１３】
第１の発明によれば、暖房時に内外気混入モードにし、窓ガラスの温度に基づく目標露点温度と、窓ガラス近傍の温度及び湿度に基づく露点温度とから窓ガラスの曇りを抑制する目標外気導入量となるようにインテーク部を制御し、車速検出手段で検出された車速が高くなるほど、上記目標露点温度を下げるようにしたので、車速が変化して窓ガラスの温度が急に低下しても窓ガラスに曇りが発生しないようにすることができる。
【図面の簡単な説明】
【００１４】
【図１】実施形態に係る車両用空調装置の概略構成図である。
【図２】車両用空調装置のブロック図である。
【図３】操作パネルの概略図である。
【図４】制御装置による制御内容を示すフローチャートである。
【図５】変形例に係る図３相当図である。
【発明を実施するための形態】
【００１５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１６】
図１は、本発明の実施形態に係る車両用空調装置１の概略構成図である。この車両用空調装置１は、例えば自動車等の車両に搭載されるものであり、車室内の空気（内気）と車室外の空気（外気）との一方または両方を導入して温度調節した後、車室の各部に供給するように構成されている。車両の車室内には、図示しないが、運転席及び助手席からなる前席と、前席の後方に配設される後席とが設けられている。
【００１７】
車両用空調装置１は、空調ケーシング１０と制御装置（図２に示す）３０とを備えている。空調ケーシング１０は、例えば車室の前端部に配設されたインストルメントパネル（図示せず）の内部に収容されている。空調ケーシング１０は、空気流れ方向上流側から下流側に向かって順に、インテーク部１１と、温度調節部１２と、吹出方向切替部１３とを備えている。インテーク部１１には、外気導入口１１ａと内気導入口１１ｂとが形成されている。外気導入口１１ａは、例えば図示しないインテークダクトを介して車室外と連通しており、外気を導入するようになっている。内気導入口１１ｂは、インストルメントパネルの内部で開口しており、内気を導入するようになっている。
【００１８】
インテーク部１１の内部には、外気導入口１１ａと内気導入口１１ｂを開閉するインテークドア１１ｃが配設されている。インテークドア１１ｃは、例えば板状の部材で構成することができ、インテーク部１１の側壁に対して回動可能に支持されている。インテークドア１１ｃは、内外気切替アクチュエータ１１ｄによって任意の回動角度となるように駆動される。これにより後述する３つのインテークモードに切り替えられる。内外気切替アクチュエータ１１ｄは、制御装置３０によって制御される。
【００１９】
例えば、図１に実線で示すように外気導入口１１ａを全閉にし、かつ、内気導入口１１ｂを全開にするまでインテークドア１１ｃを回動させると、インテークモードが内気循環モードとなる。このときのインテークドア１１ｃの開度は１００％とする。一方、図１に仮想線で示すように外気導入口１１ａを全開にし、かつ、内気導入口１１ｂを全閉にするまでインテークドア１１ｃを回動させると、インテークモードが外気導入モードとなる。このときのインテークドア１１ｃの開度は０％とする。そして、インテークドア１１ｃの開度が１％〜９９％の間にあるときには、外気導入口１１ａと内気導入口１１ｂの両方が開状態となり、内気と外気の両方が温度調節部１２に導入される。このインテークモードが内外気混入モードである。内外気混入モード時には、インテークドア１１ｃの開度によって内気と外気の導入比率、即ち、内気循環量と外気導入量とが変更される。インテークモードの切替制御の詳細は後述する。
【００２０】
インテーク部１１には、送風機１５が設けられている。送風機１５は、ファン１５ａと、ファン１５ａを駆動するブロアモータ１５ｂとを備えている。ファン１５ａが回転することによって内気及び外気の少なくとも一方がインテーク部１１に導入された後、温度調節部１２に送風される。ブロアモータ１５ｂは、印加される電圧を変更することで単位時間当たりの回転数を調整することができるように構成されている。このブロアモータ１５ｂの回転数によって送風量が変化するようになっている。ブロアモータ１５ｂは、制御装置３０によって制御されるので、制御装置３０は、ブロアモータ１５ｂへの印加電圧に基づいて、調和空気の車室内への吹出風量を間接的に得ることができる。
【００２１】
温度調節部１２は、インテーク部１１から導入された空気の温度調節を行うための部分である。温度調節部１２の内部には、冷却用熱交換器１６と加熱用熱交換器１７とエアミックスドア１８とが配設されている。すなわち、温度調節部１２の内部には、空気流れ方向上流側に冷風通路Ｒ１が形成され、この冷風通路Ｒ１に冷却用熱交換器１６が収容されている。また、冷風通路Ｒ１の下流側は温風通路Ｒ２とバイパス通路Ｒ３とに分岐しており、温風通路Ｒ２に加熱用熱交換器１７が収容されている。
【００２２】
冷却用熱交換器１６は、例えばヒートポンプ装置の冷媒蒸発器等で構成することができるが、これに限られるものではなく、空気を冷却することができるものではあればよい。また、加熱用熱交換器１７は、例えばエンジンの冷却水が供給されるヒータコア等で構成することができるが、これに限られるものではなく、例えば電気式ヒータ等、空気を加熱することができるものではあればよい。また、電気式ヒータを補助熱源として付加することもできる。
【００２３】
エアミックスドア１８は、冷却用熱交換器１６と加熱用熱交換器１７の間に配設されており、温風通路Ｒ２の上流端とバイパス通路Ｒ３の上流端とを開閉するものである。エアミックスドア１８は、例えば板状の部材で構成することができ、温度調節部１２の側壁に対して回動可能に支持されている。エアミックスドア１８は、エアミックスアクチュエータ１８ａによって任意の回動角度となるように駆動される。エアミックスアクチュエータ１８ａは、制御装置３０によって制御される。
【００２４】
エアミックスドア１８が温風通路Ｒ２の上流端を全開にし、かつ、バイパス通路Ｒ３の上流端を全閉にすると、冷風通路Ｒ１で生成された冷風の全量が温風通路Ｒ２に流入して加熱されるので、吹出方向切替部１３には温風が流入する。一方、エアミックスドア１８が温風通路Ｒ２の上流端を全閉にし、かつ、バイパス通路Ｒ３の上流端を全開にすると、冷風通路Ｒ１で生成された冷風の全量がバイパス通路Ｒ３に流入するので、吹出方向切替部１３には冷風が流入する。エアミックスドア１８が温風通路Ｒ２の上流端及びバイパス通路Ｒ３の上流端を開く回動位置にあるときには、冷風及び温風が混合した状態で吹出方向切替部１３に流入することになる。エアミックスドア１８の回動位置によって吹出方向切替部１３に流入する冷風量と温風量とが変更されて所望温度の調和空気が生成される。尚、エアミックスドア１８は、上記した板状のドアに限られるものではなく、冷風量と温風量とを変更することができる構成であればその構成はどのような構成であってもよい。例えばロータリドアやフィルムドア等であってもよい。また、温度調節の構成は上記した構成でなくてもよく、冷風量と温風量とを変更することができる構成であればよい。
【００２５】
吹出方向切替部１３は、温度調節部１２で温度調節された調和空気を車室の各部に供給するための部分である。吹出方向切替部１３には、デフロスタ吹出口２１と、ベント吹出口２２と、ヒート吹出口２３とが形成されている。デフロスタ吹出口２１は、インストルメントパネルに形成されたデフロスタノズル２４に接続されている。このデフロスタ吹出口２１は、フロントウインドガラス（窓ガラス）Ｇの車室内面に調和空気を供給するためのものである。デフロスタ吹出口２１の内部には、デフロスタ吹出口２１を開閉するためのデフロスタドア２１ａが設けられている。
【００２６】
ベント吹出口２２は、インストルメントパネルに形成されたベントノズル２５に接続されている。ベントノズル２５は、前席の乗員の上半身に調和空気を供給するためのものであり、インストルメントパネルの車幅方向中央部と、左右両側にそれぞれ設けられている。ベント吹出口２２の内部には、ベント吹出口２２を開閉するためのベントドア２２ａが設けられている。
【００２７】
ヒート吹出口２３は、乗員の足元近傍まで延びるヒートダクト２６に接続されている。ヒートダクト２６は、乗員の足元に調和空気を供給するためのものである。ヒート吹出口２３の内部には、ヒート吹出口２３を開閉するためのヒートドア２３ａが設けられている。
【００２８】
デフロスタドア２１ａ、ベントドア２２ａ及びヒートドア２３ａは吹出方向切替アクチュエータ２７によって駆動されて開閉動作する。吹出方向切替アクチュエータ２は、制御装置３０によって制御される。デフロスタドア２１ａ、ベントドア２２ａ及びヒートドア２３ａは、図示しないがリンクを介して連動するようになっており、例えば、デフロスタドア２１ａが開状態で、ベントドア２２ａ及びヒートドア２３ａが閉状態となるデフロスタモード、デフロスタドア２１ａ及びヒートドア２３ａが閉状態で、ベントドア２２ａが開状態となるベントモード、デフロスタドア２１ａ及びベントドア２２ａが閉状態で、ヒートドア２３ａが開状態となるヒートモード、デフロスタドア２１ａ及びベントドア２２ａが開状態で、ヒートドア２３ａが閉状態となるデフベントモード、デフロスタドア２１ａ及びヒートドア２３ａが開状態で、ベントドア２２ａが閉状態となるバイレベルモード等の複数の吹出モードの内、任意の吹出モードに切り替えられる。
【００２９】
図２に示すように、車両用空調装置１には、外気温度センサ（外気温度検出手段）３１、内気温度センサ３２、日射量センサ３３、冷却水温センサ３４、エバポレータセンサ３５、フロントウインド温度センサ３６、フロントウインド近傍温度センサ３７、フロントウインド近傍湿度センサ３８、操作スイッチ３９、乗員センサ４０及び車速検出センサ（車速検出手段）４１を備えている。これらセンサ３１〜３８、４０、４１は制御装置３０に接続され、制御装置３０へ信号を出力している。また、操作スイッチ３９も制御装置３０に接続されており、乗員による操作状態を制御装置３０が検出できるようになっている。
【００３０】
外気温度センサ３１は、例えば車室外において車両前部や側部等に配設されており、車両の周囲の空気温度（外気温度）を検出するものである。内気温度センサ３２は、例えば車室内においてインストルメントパネルの近傍等に配設されており、車室内の空気温度（内気温度）を検出するものである。日射量センサ３３は、例えば車室内においてインストルメントパネルの近傍等に配設されており、車室に照射される日射量を検出するものである。
【００３１】
内気温度センサ３２、外気温度センサ３１及び日射量センサ３３は、乗員が感じる冷熱に関連する情報を検出することができるものである。すなわち、内気温度センサ３２から出力される内気温度は、乗員の雰囲気温度と略等しい温度であり、内気温度が高いということは乗員が暖かいと感じ、内気温度が低いということは乗員が寒いと感じる。また、外気温度センサ３１から出力される外気温度が高いと乗員が暖かいと感じ、外気温度が低いと乗員が寒いと感じる。さらに、日射量センサ３３から出力される日射量が多いと乗員が暖かいと感じ、日射量が少ないと乗員が寒いと感じる。
【００３２】
冷却水温センサ３４は、車両に搭載されているエンジンの冷却水の温度を検出するものであり、この冷却水温センサ３４により、加熱用熱交換器１７に流入するエンジンの冷却水の温度を推定することができる。エバポレータセンサ３５は、冷却用熱交換器１６の空気流れ方向下流側に配設されており、冷却用熱交換器１６の表面温度を検出するものである。
【００３３】
フロントウインド温度センサ３６は、フロントウインドガラスＧの車室内面に配設されており、フロントウインドガラスＧの車室内面の温度を検出するものである。フロントウインド近傍温度センサ３７は、フロントウインドガラスＧの車室内面から離れ、かつ、該内面近傍に配設されており、フロントウインドガラスＧの車室内面近傍の温度を検出するものである。フロントウインド近傍湿度センサ３８は、フロントウインドガラスＧの車室内面から離れ、かつ、該内面近傍に配設されており、フロントウインドガラスＧの車室内面近傍の湿度を検出するものである。
【００３４】
操作スイッチ３９は、図３に示すように例えばインストルメントパネル等に取り付けられる操作パネルＰに配設されており、乗員が操作できるようになっている。操作スイッチ３９は、例えば、空調装置１のＯＮ／ＯＦＦの切替スイッチ（図示せず）、送風量を増減させる風量切替スイッチ（図示せず）、車室の温度を設定する温度設定スイッチ（図示せず）、内気循環、外気導入及び内外気混入モードを切り替える内外気切替スイッチ（インテーク操作部）３９ａ、オートエアコン制御とするか否かを選択するオートスイッチ（自動制御選択部）３９ｂ、吹出方向を切り替える吹出モード切替スイッチ（図示せず）、デフロスタスイッチ（デフロスタモード選択部）３９ｃ等で構成されている。操作スイッチ３９は制御装置３０に接続されている。
【００３５】
オートスイッチ３９ｂが操作されると、後述するように、制御装置３０により、吹出方向切替部１３の制御、調和空気の風量制御及び調和空気の温度制御が自動で行われる。尚、吹出方向切替部１３の制御、調和空気の風量制御及び調和空気の温度制御の内、いずれか１つまたは２つのみを制御装置３０により自動で行うようにしてもよい。デフロスタスイッチ３９ｃは、上記した複数の吹出モードの中から乗員がデフロスタモードを選択するためのスイッチである。
【００３６】
乗員センサ４０は、前席に乗員が着座しているか否かを検出するとともに、後席に乗員が着座しているか否かも検出することができるものである。具体的には、例えば前席及び後席のシートクッション部にそれぞれ感圧センサを内蔵しておき、この感圧センサによって乗員が着座しているか否かを検出することができる。また、前席及び後席のシートベルトが装着状態にあるか否かを検出するセンサが一般の車両に設けられているので、このセンサを利用してシートベルトが装着状態にあれば乗員が着座していることを検出できる。車速センサ４１は、車両の速度を検出することができるものであり、従来から周知のセンサ類を使用することができる。
【００３７】
また、操作パネルＰには、インテーク部のインテークモードを表示するための表示パネル（表示部）４５が設けられている。この表示パネル４５は、例えば液晶表示パネル等で構成することができ、制御装置３０に接続され、該制御装置３０によって制御されるようになっている。
【００３８】
制御装置３０は、上記センサ３１〜３８、４０、４１から出力される信号（出力値）と、操作スイッチ３９の操作状態とに基づいて、内外気切替アクチュエータ１１ｄ、エアミックスアクチュエータ１８ａ、吹出方向切替アクチュエータ２７及びブロアモータ１５ｂを制御する。すなわち、操作スイッチ３９のオートスイッチによってオートエアコン制御が選択された場合には、車室外の温度、車室内の温度、日射量、エンジン冷却水温度、冷却用熱交換器１６の表面温度、設定温度等に基づいて、車室内に供給する調和空気の目標吹出温度を決定するとともに、この目標吹出温度となるようにエアミックスドア１８の開度を演算し、エアミックスドア１８がこの開度となるようにエアミックスアクチュエータ１８ａを制御してエアミックスドア１８を回動させる（調和空気の温度制御）。これにより、調和空気の温度が目標吹出温度となる。
【００３９】
また、制御装置３０は、冷房時には吹出モードが主にベントモードとなるように吹出方向切替アクチュエータ２７を制御し、暖房時には吹出モードが主にヒートモードとなるように吹出方向切替アクチュエータ２７を制御する。また、冷房時や暖房時であっても弱めの場合には、バイレベルモードやデフベントモードとなるように吹出方向切替アクチュエータ２７を制御する。さらに、操作スイッチ３９が有するデフロスタスイッチがＯＮにされると、吹出モードがデフロスタモードとなるように吹出方向切替アクチュエータ２７を制御する（吹出方向切替部１３の制御）。
【００４０】
例えば冬季に長時間放置された車両で暖房を行う場合や、夏季で長時間放置された車両で冷房を行う場合には、目標吹出温度と内気温度との差が大きくなる。このような場合には、制御装置３０は、風量が多くなるようにブロアモータ１５ｂを制御するが、乗員が風量切替スイッチを操作して好みの風量にすることもできるようになっている。また、オートエアコン制御では、目標吹出温度と内気温度との差が小さくなるにつれて風量が少なくなるようにブロアモータ１５ｂを制御する。ブロアモータ１５ｂの制御は印加電圧の変更によって行われるが、これに限られるものではなく、ブロアモータ１５ｂの回転数を変更できればよい。これが調和空気の風量制御である。
【００４１】
制御装置３０によるブロアモータ１５ｂの制御及び吹出モードの切替制御によって乗員の上半身への送風量を検出することができる。すなわち、吹出モードがベントモードである場合には、主に乗員の上半身へ調和空気が送風されることになり、このベントモード時におけるブロアモータ１５ｂへの印加電圧を検出することで乗員の上半身への送風量を検出することができる。また、ヒートモード時には、ベントモード時に比べて全体的に乗員の上半身への送風量が少なくなり、このことも制御装置３０によって検出できる。
【００４２】
また、制御装置３０は、図４に示すフローチャートの手順に従って内外気切替アクチュエータ１１ｄを制御してインテークモードを切り替える。インテーク部１１のインテークモードは、操作パネルＰの表示パネル４５に表示されるようになっている。
【００４３】
また、制御装置３０は、デフロスタスイッチ３９ｃが操作されたか否かを検出しており、デフロスタスイッチ３９ｃが操作されたことを検出した場合には、以下に述べる制御手順に従って得られた目標インテークモードがどのモードであるかに関わらず、車室外の空気を導入する強制外気導入モードとなるようにインテーク部１１を制御するように構成されている。
【００４４】
また、制御装置３０は、デフロスタスイッチ３９ｃが操作されて強制外気導入モードに切り替わった後に、オートスイッチ３９ｂが操作されたか否かを検出し、オートスイッチ３９ｂが操作されたことを検出した場合には、内外気混入モードとなるようにインテーク部１１を制御するように構成されている。
【００４５】
内外気切替アクチュエータ１１ｄの制御は、空調装置１がＯＮとされて制御装置３０が暖房を行う必要があると判断した場合に、所定のタイミングで繰り返されている。尚、冷房時には、基本的には乗員が選択したモードとなるように内外気切替アクチュエータ１１ｄを制御する。
【００４６】
図４のスタート後のステップＳＡ１では、各センサ３１〜３８、４０、４１の出力値を読み込むとともに、操作スイッチ３９の操作状態を読み込む。ステップＳＡ１に続くステップＳＡ２では、上述のようにして、吹出モード、風量（ブロアモータ１５ｂへの印加電圧）、エアミックスドア１８の開度を決定するとともに、操作スイッチ３９の内外気切替スイッチの操作状態から目標インテークモードを決定する。目標インテークモードは、後述する制御手順の中で使用されるものであり、インテークモードが目標インテークモードにただちに切り替えられるわけではない。内外気切替スイッチが外気導入モードを選択している場合には、目標インテークモードを外気導入モードとし、内気循環モードを選択している場合には、目標インテークモードを内気循環モードとし、内外気混入モードを選択している場合には、目標インテークモードを内外気混入モードとする。
【００４７】
そして、ステップＳＡ３では、周知の手法に従って第１目標露点温度（Ｔｄｅｗｔｒｇ１）と露点温度を演算する。
【００４８】
第１目標露点温度（Ｔｄｅｗｔｒｇ１）は、フロントウインド温度センサ３６から出力されるフロントウインドガラスＧの車室内面の温度よりも低い温度とする。例えば、フロントウインドガラスＧの車室内面の温度が１０℃の場合、それよりも２〜３℃程度低い温度を第１目標露点温度（Ｔｄｅｗｔｒｇ１）とする。また、フロントウインド近傍温度センサ３７から出力されるフロントウインドガラスＧの車室内面近傍の温度と、フロントウインド近傍湿度センサ３８から出力されるフロントウインドガラスＧの車室内面近傍の湿度とに基づいて露点温度を得る。
【００４９】
ステップＳＡ４では、車速センサ４１で検出された車速と、外気温度センサ３１で検出された外気温度とから第２目標露点温度（Ｔｄｅｗｔｒｇ２）を演算する。第２目標露点温度（Ｔｄｅｗｔｒｇ２）は、車速が高ければ高いほど低くし、また、外気温度が低ければ低いほど低くする。つまり、本制御は暖房時の制御であるため、冬場を想定しており、車速が高いとフロントウインドガラスＧに当たる走行風によってフロントウインドガラスＧの温度が低下してフロントウインドガラスＧが曇り易くなる。よって、第２目標露点温度（Ｔｄｅｗｔｒｇ２）を低くする。第２目標露点温度（Ｔｄｅｗｔｒｇ２）は、車速の増加に反比例して低くなるように設定することができる。従って、車速センサ４１で検出された車速に応じて第２目標露点温度（Ｔｄｅｗｔｒｇ２）が変化することになる。
【００５０】
また、外気温度が低いとフロントウインドガラスＧの温度が低下してフロントウインドガラスＧが曇り易くなる。よって、第２目標露点温度（Ｔｄｅｗｔｒｇ２）を低くする。第２目標露点温度（Ｔｄｅｗｔｒｇ２）は、外気温度に比例して低くなるように設定することができる。
【００５１】
制御装置３０は、第２目標露点温度（Ｔｄｅｗｔｒｇ２）の上限値を設けている。第２目標露点温度（Ｔｄｅｗｔｒｇ２）の上限値は、車速センサ４１で検出された車速に応じて変化させる。例えば、車速が高いほど第２目標露点温度（Ｔｄｅｗｔｒｇ２）の上限値を低くする。また、外気温度センサ３１で検出された外気温度が低くなるほど、第２目標露点温度（Ｔｄｅｗｔｒｇ２）の上限値を低く設定してもよい。
【００５２】
ステップＳＡ４に続くステップＳＡ５では、第１目標露点温度（Ｔｄｅｗｔｒｇ１）と第２目標露点温度（Ｔｄｅｗｔｒｇ２）とを比較して低い方を選択し、その選択した温度を目標露点温度（Ｔｄｅｗｔｒｇ）とする。
【００５３】
ステップＳＡ５に続くステップＳＡ６では、目標インテークモードが内気循環モードであるか否かを判定する。ステップＳＡ６でＹＥＳと判定されて目標インテークモードが内気循環モードである場合には、乗員が外気を導入したくない状況であると考えられるので、ステップＳＡ７に進んで目標インテークモードを内気循環モードにし、ステップＳＡ１２で内外気切替アクチュエータ１１ｄに制御信号を出力する。内外気切替アクチュエータ１１ｄは、内気循環モードとなるようにインテークドア１１ｃを回動させる。これにより、車室内に外気が導入されることはない。
【００５４】
ステップＳＡ６でＮＯと判定されて目標インテークモードが外気導入モードまたは内外気混入モードである場合には、ステップＳＡ８に進む。ステップＳＡ８では、ステップＳＡ３で演算した露点温度から目標露点温度（Ｔｄｅｗｔｒｇ）を引いて、その値が０．５℃以上であるか否かを判定する。ステップＳＡ８でＹＥＳと判定されて露点温度から目標露点温度（Ｔｄｅｗｔｒｇ）を引いた値が０．５℃以上である場合には、フロントウインドガラスＧに曇りが発生し易い状況であると推定できるので目標インテークモードを強制外気導入モードにする。すなわち、制御装置３０は、ステップＳＡ８において、目標露点温度（Ｔｄｅｗｔｒｇ）よりも露点温度が高く、かつ、目標露点温度（Ｔｄｅｗｔｒｇ）と露点温度との差が所定温度（例えば０．５℃）以上となったか否かを判定し、所定温度以上となった場合に、強制外気導入モードとなるようにインテーク部１１を制御するように構成されている。
【００５５】
一方、ステップＳＡ８でＮＯと判定されて露点温度から目標露点温度（Ｔｄｅｗｔｒｇ）を引いた値が０．５℃未満である場合には、ステップＳＡ１０に進んで目標露点温度（Ｔｄｅｗｔｒｇ）と露点温度からインテークドア１１ｃの目標開度（ＩＮＴｔｒｇ）を演算する。露点温度が目標露点温度（Ｔｄｅｗｔｒｇ）よりも高い場合には、外気導入量を増やすようにインテークドア１１ｃの目標開度（ＩＮＴｔｒｇ）を演算し、露点温度が目標露点温度（Ｔｄｅｗｔｒｇ）よりも低い場合には、内気循環量を増やすようにインテークドア１１ｃの目標開度（ＩＮＴｔｒｇ）を演算する。露点温度が目標露点温度（Ｔｄｅｗｔｒｇ）よりも高い場合に、その差が大きくなるほど、外気導入量を増やし、また、露点温度が目標露点温度（Ｔｄｅｗｔｒｇ）よりも低い場合に、その差が大きくなるほど、内気循環量を増やす。つまり、制御装置３０は、フロントウインドガラスＧの曇り易さを検出し、基本的には、この検出結果に基づいてフロントウインドガラスＧが曇り易い場合には外気導入量を増やす一方、窓ガラスが曇り難い場合には内気循環量を増やすように構成されている。
【００５６】
続くステップＳＡ１１では、インテークモードを内外気混入モードとした上で、ステップＳＡ１０で得たインテークドア１１ｃの目標開度（ＩＮＴｔｒｇ）をインテーク開度として決定する。その後、ステップＳＡ１２に進んで内外気切替アクチュエータ１１ｄに制御信号を出力する。内外気切替アクチュエータ１１ｄは、ステップＳＡ１１で決定した開度となるようにインテークドア１１ｃを回動させる。
【００５７】
そして、ステップＳＡ８及びステップＳＡ９を経て強制外気導入モードとされた場合には、ステップＳＡ１２でインテーク部１１が外気導入モードとなり、その後、ステップＳＡ１〜ＳＡ６を経てステップＳＡ８に進んだ場合には、再び、露点温度から目標露点温度（Ｔｄｅｗｔｒｇ）を引いた値が０．５℃以上であるか否かを判定する。ステップＳＡ８で露点温度から目標露点温度（Ｔｄｅｗｔｒｇ）を引いた値が０．５℃未満となっている場合には、ステップＳＡ１０に進むので強制外気導入モードが解除されることになる。このとき、露点温度が目標露点温度（Ｔｄｅｗｔｒｇ）よりも低くなったか否かを判定し、低くなった場合に内外気混入モードとなるようにインテーク部１１を制御するように構成してもよい。
【００５８】
制御装置３０は、上述のようにしてインテークモードが内外気混入モードに切り替えられているときに、内外気切替スイッチ３９ａが操作されたか否かを検出し、内外気切替スイッチ３９ａが操作されたことを検出した場合に、内気循環モードとなるようにインテーク部１１を制御するように構成されている。すなわち、乗員が内外気切替スイッチ３９ａを操作する場合に多いのは、例えば車室外のにおいが車室内に侵入するのを抑制するためであることが多く、この実施形態では、インテークモードが内外気混入モードにある場合に、内外気切替スイッチ３９ａを操作するだけで自動的に内気循環モードに切り替わって外気の導入が遮断されるので、操作性が良好になる。
【００５９】
以上説明したように、この実施形態に係る車両用空調装置１によれば、基本的に、暖房時に乗員が内気循環モードを選択していなければ、車室内の空気を温度調節部１２に導入して温度調節することができる。これにより、車室内の換気量を減少させることができるので、暖房に要するエネルギ消費量が少なくて済む。
【００６０】
そして、フロントウインドガラスＧの温度に基づく目標露点温度と、窓ガラス近傍の温度及び湿度に基づく露点温度とを得て、フロントウインドガラスＧの曇りを抑制する目標外気導入量となるようにインテーク部１１が制御されるので、暖房時のフロントウインドガラスＧの曇りが抑制される。
【００６１】
さらに、車両が停止状態から走行状態となった場合には、車速センサ４１によってそのことが検出される。この車速に応じて、車速が高まると目標露点温度が低くなるようにしたので、車速の増加によってフロントウインドガラスＧの温度が低下して曇り易くなった場合に、目標外気導入量を増加させてフロントウインドガラスＧの曇りを抑制することができる。
【００６２】
また、目標露点温度に上限値を設定したことで、車室内の露点温度の上昇を抑えて車速が上昇したときのフロントウインドガラスＧの曇りを抑制することができる。また、目標露点温度の上限値までは内気循環量を増やすことが可能になるので、暖房に要するエネルギ消費量が少なくなる。
【００６３】
また、図５に示す実施形態の変形例のように、操作パネルＰに、インテーク部１１を外気導入モードに切り替えるための外気導入スイッチ（外気導入モード選択部）３９ｆと、インテーク部１１が外気導入モードであるときに点灯する外気導入モードランプ３９ｈと、インテーク部１１を内気循環モードに切り替えるための内気循環スイッチ（内気循環モード選択部）３９ｇと、インテーク部１１が内気循環モードであるときに点灯する内気循環モードランプ３９ｉとを設けてもよい。外気導入スイッチ３９ｆ、外気導入モードランプ３９ｈ、内気循環スイッチ３９ｇ及び内気循環モードランプ３９ｉは、制御装置３０に接続されている。制御装置３０は、外気導入モードであるときには外気導入モードランプ３９ｈを点灯させ、内気循環モードランプ３９ｉを消灯させる。また、制御装置３０は、内気循環モードであるときには外気導入モードランプ３９ｈを消灯させ、内気循環モードランプ３９ｉを点灯させる。さらに、制御装置３０は、内外気混入モードであるときには外気導入モードランプ３９ｈ及び内気循環モードランプ３９ｉを消灯させる。このように、外気導入モードランプ３９ｈと内気循環モードランプ３９ｉとの２つのランプを利用して、３つのインテークモード（外気導入モード、内気循環モード、内外気混入モード）を乗員に容易に把握させることができる。
【００６４】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６５】
以上説明したように、本発明に係る車両用空調装置は、例えば自動車の車室内を空調する場合に使用することができる。
【符号の説明】
【００６６】
１              車両用空調装置
１１            インテーク部
１１ａ          外気導入口
１１ｂ          内気導入口
１１ｃ          インテークドア
１２            温度調節部
１３            吹出方向切替部
３０            制御装置
３１            外気温度センサ（外気温度検出手段）
３２            内気温度センサ
３３            日射量センサ
３９ａ          内外気切替スイッチ（インテーク操作部）
３９ｂ          オートスイッチ（自動制御選択部）
３９ｃ          デフロスタスイッチ（デフロスタモード選択部）
４０            乗員センサ
４１            車速センサ（車速検出手段）
４５            表示パネル（表示部）
Ｇ              フロントウインドガラス（窓ガラス）
【図１】
2018131204.tif 000003
【図２】
2018131204.tif 000004
【図３】
2018131204.tif 000005
【図４】
2018131204.tif 000006
【図５】
2018131204.tif 000007